(57)【特許請求の範囲】
【請求項１】
磁気共鳴画像を生成する磁気共鳴装置の作動方法であって、
定常磁場が制御され、
一時的勾配磁場が制御され、
受信器アンテナシステムが磁気共鳴信号を取得し、前記磁気共鳴信号は前記一時的勾配磁場に基づいて空間的に符号化され、前記受信器アンテナシステムは受信器感度値を有し、
磁場不均一性及び高速サンプリングのために、エイリアジング画素（ボクセル）を有する折り返し画像は、前記一時的勾配磁場の前記空間的符合化に基づいて、検査ゾーンにおいて生成される前記磁気共鳴信号から再構成され、
前記磁気共鳴画像は、前記受信器感度値に基づいて、並びに基本磁場Ｂ０についてのマグネット及び勾配コイルのデザインパラメータから演算される前記定常磁場の前記第１の空間分布及び前記一時的勾配磁場の第２の空間分布に基づいて、前記折り返し画像の前記エイリアジング画素（ボクセル）を展開することにより再構成され、
画素における信号強度は複数のコイル感度により表され、該コイル感度は、一度は均一なコイル感度を定義により有する基準としてのコイルにより測定され、一度は前記コイル感度が決定されるコイルのアレイにより測定され、前記コイルのアレイの測定値は前記基準としてのコイルの測定値に基づいて修正され、この修正に基づいて、前記折り返し画像は再構成される、
磁気共鳴装置の作動方法。
【請求項２】
請求項１に記載の磁気共鳴装置の作動方法であって、
前記定常磁場及び前記一時的勾配磁場が制御され、
感度分布が、画像領域において前記受信器アンテナシステムの前記受信器感度値をマッピングし、
置き換え値（ｐ（ｘ））は、前記定常磁場及び前記一時的勾配磁場の実際の値に基づいて前記画像領域の画素（ボクセル）に対して空間領域の位置にマッピングされ、
エイリアジング画素（ボクセル）を有する前記折り返し画像は、前記一時的勾配磁場によりもたらされる空間的符号化に基づいて前記磁気共鳴信号から再構成され、前記エイリアジング画素（ボクセル）は、前記空間領域において実質的に異なる位置からの信号分布を有し、
前記折り返し画像における前記エイリアジング画素（ボクセル）は、前記磁気共鳴画像を再構成するように前記空間領域における異なる位置からもたらされるそれぞれの前記信号分布に対して空間受信器感度マップに基づいて展開され、前記空間受信器感度マップは前記置き換え値を有する画像領域受信器感度マップを有する、
磁気共鳴装置の作動方法。
【請求項３】
請求項２に記載の磁気共鳴装置の作動方法であって、
受信器感度マップにおいて、前記受信器感度値が収集され、
置き換えマップ（ｐｓｅｎｓ（ｘ））において、前記置き換え値が収集され、
前記空間受信器感度値の空間受信器感度マップが、前記置き換えマップと前記受信器感度マップを組み合わせることにより生成される、
磁気共鳴装置の作動方法。
【請求項４】
請求項３に記載の磁気共鳴装置の作動方法であって、同じ磁気共鳴装置の作動位置からもたらされる少なくとも２つのアンテナ記録信号は画像強度及びそれぞれのアンテナの感度係数により重み付けされ、前記画素（ボクセル）は前記重み付けされた信号から再構成される、磁気共鳴装置の作動方法。
【請求項５】
複数の信号から画像を得る磁気共鳴装置であって：
定常磁場及び一時的勾配磁場を制御する手段；
受信器アンテナシステムから磁気共鳴信号を取得する手段であって、前記磁気共鳴信号は、前記一時的勾配磁場に基づいて空間的に符号化され、前記受信器アンテナシステムは受信器感度値を有する、手段；
磁場不均一性及び前記磁気共鳴信号からの高速サンプリングのために、エイリアジング画素（ボクセル）を有する折り返し画像を、前記一時的勾配磁場の前記空間的符号化に基づいて、検査ゾーンにおいて生成される前記磁気共鳴信号から再構成する手段；
並びに
前記受信器感度値に基づいて、並びに基本磁場Ｂ０についてのマグネット及び勾配コイルのデザインパラメータから演算される前記定常磁場の前記第１の空間分布及び前記一時的勾配磁場の第２の空間分布に基づいて、前記折り返し画像の前記エイリアジング画素（ボクセル）を展開する手段；
を有する磁気共鳴装置であり、
画素における信号強度は複数のコイル感度により表され、該コイル感度は、一度は均一なコイル感度を定義により有する基準としてのコイルにより測定され、一度は前記コイル感度が決定されるコイルのアレイにより測定され、前記コイルのアレイの測定値は前記基準としてのコイルの測定値に基づいて修正され、この修正に基づいて、前記折り返し画像は再構成される；
磁気共鳴装置。
【請求項６】
磁気共鳴方法の手段により画像を生成するコンピュータ使用可能媒体に記憶されているコンピュータプログラムであって、コンピュータが実行を制御するようにするコンピュータ読み取り可能手段を有する、コンピュータプログラムであり、
定常磁場が制御され、
一時的勾配磁場が制御され、
受信器アンテナシステムが磁気共鳴信号を取得し、前記磁気共鳴信号は前記一時的勾配磁場に基づいて空間的に符号化され、前記受信器アンテナシステムは受信器感度値を有し、
磁場不均一性及び前記磁気共鳴信号からの高速サンプリングのために、エイリアジング画素（ボクセル）を有する折り返し画像を、前記一時的勾配磁場の前記空間的符号化に基づいて、検査ゾーンにおいて生成される前記磁気共鳴信号から再構成する、
コンピュータプログラムであり、
前記磁気共鳴画像は、前記受信器感度値に基づいて、並びに基本磁場Ｂ０についてのマグネット及び勾配コイルのデザインパラメータから演算される前記定常磁場の前記第１の空間分布及び前記一時的勾配磁場の第２の空間分布に基づいて、前記折り返し画像の前記エイリアジング画素（ボクセル）を展開することにより再構成され、
画素における信号強度は複数のコイル感度により表され、該コイル感度は、一度は均一なコイル感度を定義により有する基準としてのコイルにより測定され、一度は前記コイル感度が決定されるコイルのアレイにより測定され、前記コイルのアレイの測定値は前記基準としてのコイルの測定値に基づいて修正され、この修正に基づいて、前記折り返し画像は再構成される、
コンピュータプログラム。
【発明の詳細な説明】
【技術分野】
【０００１】
本発明は、磁気共鳴方法であって、定常磁場及び一時的磁場が適用され、磁気共鳴信号が受信コイルのような複数の受信アンテナのアレイにより取得され、磁気画像におけるエイリアジングは通常、磁場の不均一性及び／又は高速サンプリングのために得られる、磁気共鳴方法に関する。本発明はまた、請求項５の前提部分に従った画像を得るための磁気共鳴イメージング装置と、請求項６の前提部分に従ったコンピュータプログラムとに関する。
【背景技術】
【０００２】
磁気共鳴イメージングにおいては、短い時間期間において許容可能な画像を得る一般的傾向がある。この理由のために、“ＳＥＮＳＥ”と呼ばれる感度符合化法がＢｉｏｍｅｄｉｃａｌ Ｅｎｇｉｎｅｅｒｉｎｇ
ａｎｄ Ｍｅｄｉｃａｌ Ｉｎｆｏｒｍａｔｉｏｎｓ， Ｕｎｉｖｅｒｓｉｔｙ ａｎｄ ＥＴＨ Ｚｕｒｉｃｈ，Ｓｗｉｔｚｒｅｌａｎｄにより、近年、開発された。ＳＥＮＳＥ法は、磁気共鳴装置のコイルにより検出される画像において直接機能するアルゴリズムに基づいている。次の符合化段階は省略されることができ、それ故、２つ乃至３つのファクタによる画像化のための信号取得の加速を得ることができる。所謂感度マップにおいて配置されるコイルの感度についての知識はＳＥＮＳＥ法にとって重要である。この方法を促進するために、単一コイル基準の“二乗和”又はオプションのボディコイル基準(例えば、文献、Ｋ．Ｐｒｕｅｓｓｍａｎｎ ｅｔ．ａｌ．ｉｎ Ｐｒｏｃ．ＩＳＭＲＭ，１９９８，ａｂｓｔｒａｃｔｓ ｐｐ．５７９，７９９，８０３
ａｎｄ ２０８７を参照されたい)のどちらかにより分割を介して得られる生感度マップを用いる提案が存在している。
【０００３】
ＳＥＮＳＥ法は、操作時間の著しい減少をもたらす磁気共鳴イメージングのための信号取得の加速に対して好ましい。しかしながら、この方法は、コイルの感度が正確に理解されている場合にのみ、正確に使用されることができる。そうでなければ、不完全性が、不正確な画像に繋がる折り返しアーチファクト（エイリアジング）の原因となる。実際には、コイル感度は正確には推定することができず、時間変動（患者の動き、温度の影響等）に依存する。
【０００４】
他方、折り返しアーチファクトは、スライスにおける好ましい位置及びＲＦコイルの感応領域における他の位置の両方において同じイメージング周波数が得られるとき、生じることとなる。折り返しアーチファクトの原因は、勾配システムにおける非線形性及びＢ０における不均一性である。文献、Ｊｏｕｒｎ．Ｍａｇｎ．Ｒｅｓ．Ｉｍａｇｉｎｇ
Ｎｏ．１２（２０００），ｐｐ７９５−７９７において、折り返しアーチファクトは好ましいデータから折り返しデータを分離することにより画像から取り除くことができることが記載されている。補正画素におけるノイズレベルは、補正のために組み合わされた画像における信号の線形依存性の指標である｜ΔＳ｜に強く依存する。これは、信号対ノイズ比の損失を最小化するように、折り返しアーチファクトにより悪影響を及ぼされる領域のみにイメージングコイルからのデータの補正を限定するように用いられることができる。必要とされる感度マトリクス（Ｓ）の値は、所定のスキャナの基本フィールドの特性の指標であり、それ故、Ｓの要素の決定は、シーケンスパラメータの所定の集合のための各々の検査に対して繰り返される必要はない。
【０００５】
感度マトリクス（Ｓ）の値は基本フィールドの特性のみに依存するが、上記の方法は画像領域においてこの値を必要とする。結果的に、コール感度マトリクスは各々の異なる走査プロトコルに対して決定される必要がある。また、一様なテスト対象は、走査される対象に匹敵するサイズを有する必要があり、それ故、この方法は全身の走査に対して用いることができない。この方法は、主に、異なるコイルにより測定された２つの空間的位置のみを区別し、ＳＥＮＳＥ法のような高速イメージングに対して用いられることはできない。
【発明の開示】
【発明が解決しようとする課題】
【０００６】
本発明の目的は、ＳＥＮＳＥ法のような高速イメージング技術における及び／又は磁場不均一性と勾配不均一性によるアーチファクトの大幅な減少を実現することである。
【０００７】
本発明のこの目的及び他の目的は、請求項１に記載している方法、請求項５に記載している装置及び請求項６に記載しているコンピュータプログラムにより実現されることができる。
【課題を解決するための手段】
【０００８】
本発明の主な特徴は、空間領域の座標に画像領域における画素からのアーチファクトをトレースバックするためのアイデアに基づいている。
【０００９】
本発明に従った方法の重要なさらなる優位性は、対象又は患者と受信コイルとの間の位置の変化のみに対して、新しい基準走査がなされる必要があることである。
【００１０】
これらの及び他の本発明の優位性は、従属請求項と、添付図面を参照して説明する本発明の例証としての実施形態とに開示されている。
【発明を実施するための最良の形態】
【００１１】
コイルという用語は、磁気共鳴により励起されるスピンからの信号が取得される受信アンテナを表すように用いられる。
【００１２】
折り返しアーチファクトを伴わない画像においては、重心ｘ１により表される空間領域の１つのボクセルのみが画像領域における各々の画素に画像化される。特定のコイルが、感度Ｗ（ｘ）を有する座標ｘから信号を受信する場合、画像の画素ｐにおける信号強度Ｓは、次式で表されることができ、
【００１３】
【数１】
0004927316.tif 000002
ここで、Ｉ（ｘ）は、１つの画素に関して画像化される領域のボリュームサイズδＶ、スピン密度ρ、Ｔ１／Ｔ２等の重み付け等により規定される、空間強度である。Ｓ（ｐ）は、求められるボリューム又はスライスにおける全ての座標ｘに対する強度Ｉ（ｘ）の推定値である。重心が領域全体を表すとみなされるようにその領域は十分小さいと仮定する。一般に、磁石及び勾配は完全ではないため、画素位置ｐは座標ｘの非線形関数である。特に、定常磁場は、定常磁場の実際の空間分布を形成し且つ位置に依存する実際の値を有する。従って、画像領域におけるスピン密度は、空間領域におけるスピン密度の歪んだ画像である。さらに、この歪みは、勾配強度及び勾配方向に依存するため、異なる走査プロトコルに対して異なる。
【００１４】
折り返しアーチファクトＮを伴う画像においては、異なる空間領域は、画像領域における１つの画素に画像化される。これらの空間領域は、重心ｘ１、ｘ２、．．．、ｘＮにより特徴付けられることができる。Ｍ個のコイルが使用して、感度Ｗ１（ｘ）、Ｗ２（ｘ）、．．．、ＷＭ（ｘ）を有するポイントからの信号を測定する場合、コイルｊからの画素ｐにおける信号強度は、次式により表される。
【００１５】
【数２】
0004927316.tif 000003
ｘの関数としてコイル感度Ｗｊの得るように、所謂、粗い較正が実行され、画像は二度測定される。一度は、定義により均一なコイル感度を有する基準としてのコイルを用いて、一度は、感度が決定される必要があるコイルのアレイを用いて、測定される。
【００１６】
通常、基準コイルはボディコイルである。画像がいずれかの折り返しアーチファクトを有していない場合、Ｗは次式により決定される。
【００１７】
【数３】
0004927316.tif 000004
Ｗｊ(ｐ(ｘ))における波形符号は、ｐの関数としてのコイル感度が画像領域においてのみ認識されることを意味する。従って、Ｗｊ（ｐ）は、マッピングｐｓｅｎｓ（ｘ）によりＷｊ（ｘ）に変換される必要があり、そのマッピングｐｓｅｎｓ（ｘ）において空間領域と画像領域との間の関係が規定され、コイル感度が決定される走査プロトコルについて考慮される。この理由のために、空間領域の一部は、図１に示しているように、有限要素１に又はユーザが規定した寸法に副分割される。各々の有限要素の中心は、有限要素の全体的なボリュームについて表わしていると仮定する。これら有限要素１は、空間（ｍ，ｐ）に投影され、ここで、ｍは測定方向における座標であり、ｐは位相符合化方向における座標である。コンピュータプログラムにより、座標を伴うマップが有限要素から得られる。コンピュータプログラムは、国際コード番号ＸＪＳ−１５４−０８９２の下でＰｈｉｌｉｐｓ
Ｎ．Ｖ．において利用可能であって、文献の卒業論文“Ｒｅｄｕｃｔｉｏｎ ｏｆ Ｉｎｈｏｍｏｇｅｎｅｉｔｙ ｒｅｌａｔｄ
Ｆｏｌｄｏｖｅｒ Ａｒｔｅｆａｃｔｓ ｉｎ ＭＲ Ｉｍａｇｉｎｇ ｕｓｉｎｇ Ｍｕｌｔｉｐｌｅ Ｃｏｉｌ Ｅｎｃｏｄｉｎｇ”ｏｆ
Ｊ．Ｊ．Ｍ．Ｚｗａｎｅｎｂｕｒｇ ａｔ Ｔｅｃｈｎｉｓｃｈｅ Ｕｎｉｖｅｒｓｉｔｅｉｔ Ｄｅｌｆｔに十分詳細に説明されている、プログラムＦＬＡＭＥの修正バージョンである。実際には、特定の画素ｐに対して画像化されるいずれかの領域についてのルジャンドル（Ｌｅｇｅｎｄｒｅ）多項式を用いる実際的なフィールド分布が、そのコンピュータプログラムにより演算される。探索される座標は、１つの画素にマッピングされる複数の異なる領域のボリュームδＶ（ｘｉ）を有する重心である。しかしながら、上記のコンピュータプログラムは重心を提供するのではなく、１つの画素にマッピングされる全ての有限要素を提供する。従って、また、アーチファクトを伴わない画像においては、複数の有限要素が１つの画素に対してマッピングされる。マッピングされた有限要素の数は特に、有限要素のサイズに依存している。いずれにしても、アーチファクトの数を規定するためには、有限要素は、図２に示すボクセルにクラスター化される必要がある。位置ｘ１におけるクラスター１は測定されるスピン密度から伝送されるオリジナルの信号であり、クラスター２及び３はアーチファクトからの信号であると仮定される。関連する有限要素と別個のクラスター（ボクセル）を生成する有限要素との間の分化はコンピュータプログラムにより決定される。異なる有限要素群を区別するための基準は、１つのクラスターの有限要素は関連する領域を形成することである。各々のコイルに対して、Ｗｊ(ｐ)の三次元テーブルが利用可能であり、そのテーブルから、折り返しアーチファクトを有する画像における各々の画素に対してマトリクスＷｊ（ｘｉ）を構成することができる。従って、マトリクスＷｊ（ｘｉ）は、上記の有限要素（ＦＥ）法により及びマップｐｓｅｎｓ（ｘ）により演算される座標ｘ１、ｘ２、．．．、ｘＮにより得られる。折り返しアーチファクトより多くのコイルが利用可能である場合、式（２）は直接解くことができる又は最小二乗法アルゴリズムにより解くことができる。Ｗｊ（ｘｉ）に新しく導入される行が悪条件又は０であるかどうかについて、毎回チェックされる必要がある。補正の後、空間領域において、即ち、理想的な磁石及び完全な勾配が利用可能である場合にＩ（ｘ）が演算される画素ｐにマッピングされるポイントに対して最近接であるポイントｘｉ（ｐ）の座標の全ての画素について、座標ｘ１（ｐ）の収集が残っている。この分布Ｉ（ｘ）は、２つの異なる方式で、即ち、非線形のオリジナルの画像の画素の位置に又はｘの線形関数である画素の位置に、提示される。両方の場合に、画像強度は、ボリュームサイズδＶの変化から生じる強度の変化について補正される必要がある。そのような線形画像による補正は、少し複雑であり、また幾何学的な補正が必要とされる場合にのみ関心がもたれるものである。
【００１８】
図３は、Ｎ＝２について、折り返しアーチファクト（左）を伴う画像のための及びコイル感度プロファイルを伴う画像のための画像領域と空間領域との間のマッピングを示している。マップｐ（ｘ）は走査プロトコルに依存する。従って、折り返しアーチファクトｐｉｍａｇｅ（ｘ）を伴う画像に対して有効な空間領域及び画像領域間のマッピングと、コイル感度画像ｐｓｅｎｓ（ｘ）に対して有効な空間領域及び画像領域間のマッピングとの間で差が生成される必要がある。折り返しアーチファクトを伴う画像が生成されるとき、原理的には、複数のポイントｘ１、ｘ２、．．．、ｘＮが１つの画素ｐに対して画像化される。コイル感度画像が生成されるとき、１つの画素ｐに対して１つのポイントｘのみが画像化される、即ち、各々のコイル感度画像について一対一関係のｐｓｅｎｓ（ｘ）が存在することに留意する必要がある。従って、空間領域の同じ領域が画像化され、１つの画素は空間領域からの複数の領域を表さないため、コイル感度画像のＦＯＶは、折り返しアーチファクトを伴う画像のＦＯＶより大きい必要がある。画像を補正するためには、折り返しアーチファクトｐｉｍａｇｅ（ｘ）を伴う画像における各々の画素とコイル感度画像における画素ｐｓｅｎｓ（ｘ１）、ｐｓｅｎｓ（ｘ２）、．．．、ｐｓｅｎｓ（ｘＮ）との間の関係が提供される必要がある。
【００１９】
この問題の解決方法については図４に示しており、図４は、折り返しアーチファクトを伴う画像のための画像領域から空間領域へのマッピングｐｉｍａｇｅ（ｐ）と、また、Ｎ＝２についての、異なるコイル感度のための空間領域から画像領域へのマッピングｐｓｅｎｓ（ｘ）を示している。ｐｉｍａｇｅ（ｘ）の逆であるマップｘｉｍａｇｅ（ｐ）を、上記のコンピュータプログラムにより決定することができる。マップｐｉｍａｇｅ（ｐ）から、同じ画素ｐにマッピングされるポイントｘ１及びｘ２を追跡する。マップｐｓｅｎｓ（ｘ）とポイントｘ１及びｘ２から、コイル感度画像における画素位置を追跡する。それ故、ポイントｘ１及びｘ２におけるコイル感度は、次式に従って導き出される。
【００２０】
【数４】
0004927316.tif 000005
この式（４）は、ｐｓｅｎｓ（ｘ）が基準走査を行うことによっては折り返しアーチファクトが生成されないために、ｐｓｅｎｓ（ｘ）が真である一対一対応関数である場合にのみ、適切な補正を提供する（式（３）を参照のこと）。
【００２１】
図５において、コンピュータプログラムのフロー図を示している。それにより、１つの画素に寄与する空間位置１１は、有限要素（ＦＥ）の演算１２により決定され、ＦＥマップ１３において記憶される。その演算は、基本磁場Ｂ０についての磁石及び勾配コイルのデザインパラメータ１５から得られる主磁場及び勾配磁場の定量的知識に基づいている。これらデザインパラメータは、ルジャンドル多項式１６により数学的に決定される。それ故、ＦＥマップ１３はボクセルマップ１７にクラスター化される。他方、コイル感度２０の三次元分布は、データが患者において測定された折り返しアーチファクトを伴わないで１つ又はそれ以上のスライスからの測定２１により決定される。式（３）に従って、基準画像２３はコイルアレイにより測定され、１つ又はそれ以上の均一な基準画像２４が均一なボディコイルにより測定される。これらの画像２３及び２４から、コイル感度画像２５が生成され、マスク２６も生成される。
【００２２】
折り返しアーチファクト又はフレームを有する画像２８からの補正前画素２７の空間位置２９は、フレームを有する画像のためのボクセルマップ１７において調べられる。空間位置は、基準画像のためのボクセルマップ１７においてそれらを調べることにより、感度画像２５における画素位置３０に変換される。式（４）に従って、感度画像２５から、コイル感度を伴う重み付けマトリクス３１が演算され、その状態をマスク２６により改善することができる。フレームを有する画像２８からの補正前画素２７から直接、各々の信号コイルからの寄与を有するベクトル３２が演算される。重み付けマトリクス３１及びベクトル３２が存在するマトリクスの式（２）を解くことにより、減少されたまたは消去されたフレームまたは折り返しアーチファクトを伴う画像３４を有する補正画素３３が得られる。
【００２３】
フィールドの不均一性によりまたは不均一なフィールドにおけるＳＥＮＳＥ法の取得により原因される両方の折り返しアーチファクトは、より良好な画像を得るように、上記のような方法により処理されることができる。
【００２４】
図６に示す装置は、強度が数テスラ乃至数十テスラのオーダーの大きさである安定した一様な磁場を生成するための４つのコイル５１のシステムを有するＭＲ装置である。ｚ軸について同心円状に配置されたコイル５１は、球表面５２上に備えられることが可能である。検査される患者６０は、これらコイルの内側に位置付けられたテーブル５４上に配置される。ｚ方向に延在し、この方向に線形に変化する磁場（以下、その磁場はまた、勾配磁場ともいう）を生成するように、４つのコイルが球表面５２上に設置される。また、ｘ方向に（垂直方向に）延在する勾配磁場を生成する４つのコイルが存在する。ｚ方向に延在し且つｙ方向（図の面に対して垂直方向）に勾配を有する勾配磁場が、コイル５７と同じであることが可能であるが、間隙を介して９０°のオフセットになるように備えられた４つのコイル５５により生成される。ここでは、それら４つのコイルのうちの２つのみを示している。
【００２５】
勾配磁場を生成するための３つのコイルシステム５３、５５および５７の各々は球表面に対して対称的に配置されるため、その球の中心の磁場強度は、コイル５１の安定して一様な磁場により排他的に決定される。また、安定して一様な磁場の方向に対して垂直（即ち、ｚ方向に対して垂直方向）に延在している実質的に一様なＲＦ磁場を生成するＲＦコイル６１も備えられている。ＲＦコイルは、各々のＲＦパルス中にＲＦ生成器からＲＦ変調電流を受け取る。ＲＦコイル６１も、検査ゾーンにおいて生成されるスピン共鳴信号を受け取るために用いられることができる。
【００２６】
図７に示すように、ＭＲ装置において受け取られたＭＲ信号はユニット７０により増幅され、ベースバンドにおいて置き換えられる。それ故、得られたアナログ信号は、アナログ−デジタル変換器７１によりデジタル値のシーケンスに変換される。アナログ−デジタル変換器７１は、読み出し位相中にのみ、それがデジタルデータ語を生成するように、制御ユニット６９により制御される。アナログ−デジタル変換器７１は、ＭＲ信号のデジタル化により得られた値をサンプリングするシーケンスにおいて一次元フーリエ変換を実行するフーリエ変換ユニット７２により後続される。
【００２７】
それ故、フーリエ変換により生成された生データは、生データの複数の集合の記憶を満足する記憶容量を有するメモリ７３に書き込まれる。それらの生データの集合から、合成ユニット７４は上記の方法で合成画像を生成し、この合成画像は、非常に多数の連続する合成画像８０の記憶を満足する記憶容量を有するメモリ７５に記憶される。再構成ユニット７６は、このようにして取得されたデータの集合からのＭＲ画像を生成し、前記ＭＲ画像は記憶される。
【００２８】
ユニット７０乃至７６は、制御ユニット６９により制御される。下向きの矢印により示すように、制御ユニットはまた、中心周波数、帯域幅及びＲＦコイル６１により生成されるＲＦパルスの包絡線と共に、勾配コイルシステム５３、５５および５７における電流の時間変化を課す。再構成ユニット７６におけるＭＲ画像メモリ（図示せず）と共に、メモリ７３および７５は、適切な容量の１つのメモリとして実現されることができる。フーリエ変換ユニット７２、合成ユニット７４および再構成ユニット７６は、上記の方法に従ってコンピュータプログラムに適切なデータ処理器を用いて実現されることができる。
【図面の簡単な説明】
【００２９】
【図１】画像領域における画素への空間領域における有限要素の標準的画像化を示す図である。
【図２】画像領域における画素に画像化される空間領域に置けるクラスターを示す図である。
【図３】折り返しアーチファクトを伴う画像及びコイル感度画像に対する空間領域及び画像領域からのマッピングを示す図である。
【図４】空間画素から異なる空間位置の寄与を分離する基本原理を示す図である。
【図５】フレームアーチファクトの補正のためのフロー図である。
【図６】本発明に従った方法を実行するための装置を示す図である。
【図７】図６に示す装置の回路図である。
【図１】
0004927316.tif 000006
【図２】
0004927316.tif 000007
【図３】
0004927316.tif 000008
【図４】
0004927316.tif 000009
【図５】
0004927316.tif 000010
【図６】
0004927316.tif 000011
【図７】
0004927316.tif 000012